(57)【特許請求の範囲】
【請求項１】
外周面を有し軸の周りに回転する遮光性筒体と、
該遮光性筒体の外周面から起立する少なくとも１個のブレードと、
該遮光性筒体の両サイドに設けたフランジと、
該遮光性筒体が回転する時の該ブレードの先端軌跡と所定間隔を隔てた湾曲面を有する被覆体と、該被覆体に設けた殺虫乃至虫不動化手段と、
該遮光性筒体内部に配した虫誘引光源と、
該遮光性筒体に設けられた少なくとも1個の虫誘引光透過領域と、を含めて構成し、
該遮光性筒体外周面と、該ブレードと、該フランジと、該被覆体の湾曲面とにより捕虫閉鎖空間が形成されるように構成し、さらに、
遮光性筒体の回転状態を検知する手段と、
該遮光性筒体の回転が所定の回転から変動したことを検知した時に遮光性筒体を逆回転させる手段と、
該遮光性筒体の回転の変動が解消された時に所定の回転に復帰させる手段と、
被覆体で覆われていない該遮光性筒体の外縁域に該遮光性筒体の外周面から起立するブレードの先端回転軌跡と所定間隔を隔てた異物除去部材と、を備える
ことを特徴とする捕虫機。
【請求項２】
外周面を有し軸の周りに回転する遮光性筒体と、
該遮光性筒体の外周面から起立する少なくとも１個のブレードと、
該遮光性筒体の両サイドに設けたフランジと、
該遮光性筒体が回転する時の該ブレードの先端軌跡と所定間隔を隔てた湾曲面を有する被覆体と、該被覆体に設けた殺虫乃至虫不動化手段と、
該遮光性筒体内部に配した虫誘引光源と、
該遮光性筒体に設けられた少なくとも1個の虫誘引光透過領域と、を含めて構成し、
該遮光性筒体外周面と、該ブレードと、該フランジと、該被覆体の湾曲面とにより捕虫閉鎖空間が形成されるように構成し、さらに、
遮光性筒体の回転状態を検知する手段と、
該遮光性筒体の回転が所定の回転から変動したことを検知した時に遮光性筒体を所定時間逆回転させる手段と、
被覆体で覆われていない該遮光性筒体の外縁域に該遮光性筒体の外周面から起立するブレードの先端回転軌跡と所定間隔を隔てた異物除去部材と、をさらに備える
ことを特徴とする捕虫機。
【請求項３】
外周面を有し軸の周りに回転する遮光性筒体と、
該遮光性筒体の外周面から起立する少なくとも１個のブレードと、
該遮光性筒体の両サイドに設けたフランジと、
該遮光性筒体が回転する時の該ブレードの先端軌跡と所定間隔を隔てた湾曲面を有する被覆体と、該被覆体に設けた殺虫乃至虫不動化手段と、
該遮光性筒体に設けた虫誘引光源と、
遮光性筒体の回転状態を検知する手段と、
該遮光性筒体の回転が所定の回転から変動したことを検知した時に遮光性筒体を所定時間逆回転させる手段と、
被覆体で覆われていない該遮光性筒体の外縁域に該遮光性筒体の外周面から起立するブレードの先端回転軌跡と所定間隔を隔てた異物除去部材と、を含めて構成し、
該遮光性筒体外周面と、該ブレードと、該フランジと、該被覆体の湾曲面とにより捕虫閉鎖空間が形成されるように構成する
ことを特徴とする捕虫機。
【請求項４】
前記虫誘引光源を前記遮光性筒体内部に設ける代わりに、前記虫誘引光透過領域上に設ける
ことを特徴とする請求項１乃至３のいずれかの請求項記載の捕虫機。
【請求項５】
前記遮光性筒体は、虫誘引光透過領域と、当該虫誘引光透過領域以外の領域である虫誘引光不透過領域を含み、
前記虫誘引光源の光は紫外線及び可視光線を含み、当該虫誘引光不透過領域は紫外線を遮断して可視光線を透過するように構成してある
ことを特徴とする請求項１乃至４のいずれかの請求項記載の捕虫機。
【発明の詳細な説明】
【技術分野】
【０００１】
この発明は、捕虫機に関する。
【背景技術】
【０００２】
特許文献１に示す遮光性筒体が回転する捕虫機（以下、「従来の捕虫機」という）では、遮光性筒体の外部に誘虫蛍光灯が設けられている。虫は誘虫蛍光灯を目指して飛翔していき、そのうちの筒体表面に偶発的に着地した虫は、筒体が回転していくと、筒体表面に設けられた逃避防止翼と筒体両端のフランジと筒体外周面と筒体の一部を覆う湾曲した部材によって閉鎖状態になる空間に捕捉される。この空間に捕らえられた虫に、遠赤外線が照射されるので虫は死ぬ。筒体がさらに回転していくと、死んだ虫は落下し収容箱に収容される。
【先行技術文献】
【特許文献】
【０００３】
【特許文献１】特開２００５−１２４４５１（図７参照）
【発明の概要】
【発明が解決しようとする課題】
【０００４】
以上に述べた従来の捕虫機では、多くの虫の生得的な行動である光に向かう正の走性（以下、「走光性」という）を刺激する紫外線を放射する蛍光灯が主として用いられている。多くの虫は、光源が放射する紫外線の照射範囲を螺旋状に飛翔しながら光源に近づいていくので、光の照射状況に変動がなく広範囲に照射されていると、虫は広範囲な照射範囲を自由に飛翔でき、虫が捕虫機の光源に到着するまで時間がかかり、誘引効率が必ずしも良くない。
【０００５】
虫は光源を目指して飛翔していくので、前記した従来の捕虫機に虫が捕獲されるのは、虫が光源付近に飛翔してきた時に、偶発的に遮光性筒体表面に着地するからであり、捕虫の確実性をより高めるために改良の余地があった。
【０００６】
すなわち従来の捕虫機では光は変化なく照射されているので、捕虫機が設置された空間の光の照射状況にも変化が無い。変化がないため、光に対する虫の馴れを生じやすい。馴れが生じた結果、虫が紫外線を感受しても直ぐに走光性の行動をおこさない事や、空間内の光が照射されている箇所に留まったりして光源に向かわない事もあり、虫の駆除に時間がかかる場合が多かった。
【０００７】
遮光性筒体外周面と筒体の一部を覆う湾曲した部材の間隙より大きな虫や異物等が筒体外周面に着地した場合には、この間隙に虫や異物が挟まり、筒体の回転を阻害する事があり、利用者が虫や異物を除去せねばならず、作業には手間がかかる。
【０００８】
そこで本発明は、虫が好んで飛翔する光の照射状況を継続的に変化させ、虫の光に対する馴れを防ぎ、虫に筒体外周面そのものを光源と認識させ、虫を効率よく確実に誘引捕獲できる捕虫機を提供することを目的とする。
【０００９】
筒体の回転状態を検知でき、筒体の回転が所定の回転から変動したことを検知した時に逆回転させて、その際に異物除去部材により所定の回転を阻害する虫や異物を筒体から乖離させ、回転の変動が解消された後に所定の回転に復帰することができる捕虫機を提供する事を他の目的とする。
【課題を解決するための手段】
【００１０】
本発明は上記の目的を達成するために第１の発明に係る捕虫機は、外周面を有し軸の周りに回転する遮光性筒体と、該遮光性筒体の外周面から起立する少なくとも１個のブレードと、該遮光性筒体の両サイドに設けたフランジと、該遮光性筒体が回転する時の該ブレードの先端軌跡と所定間隔を隔てた湾曲面を有する被覆体と、該被覆体に設けた殺虫乃至虫不動化手段と、該遮光性筒体内部に配した虫誘引光源と、該遮光性筒体に設けられた少なくとも1個の虫誘引光透過領域と、を含めて構成し、該遮光性筒体外周面と、該ブレードと、該フランジと、該被覆体の湾曲面とにより捕虫閉鎖空間が形成されるように構成し、さらに、遮光性筒体の回転状態を検知する手段と、該遮光性筒体の回転が所定の回転から変動したことを検知した時に遮光性筒体を逆回転させる手段と、該遮光性筒体の回転の変動が解消された時に所定の回転に復帰させる手段と、被覆体で覆われていない該遮光性筒体の外縁域に該遮光性筒体の外周面から起立するブレードの先端回転軌跡と所定間隔を隔てた異物除去部材と、を備えることを特徴とする。
【００１１】
さらに、第２の発明に係る捕虫機は、外周面を有し軸の周りに回転する遮光性筒体と、該遮光性筒体の外周面から起立する少なくとも１個のブレードと、該遮光性筒体の両サイドに設けたフランジと、該遮光性筒体が回転する時の該ブレードの先端軌跡と所定間隔を隔てた湾曲面を有する被覆体と、該被覆体に設けた殺虫乃至虫不動化手段と、
該遮光性筒体内部に配した虫誘引光源と、該遮光性筒体に設けられた少なくとも1個の虫誘引光透過領域と、を含めて構成し、該遮光性筒体外周面と、該ブレードと、該フランジと、該被覆体の湾曲面とにより捕虫閉鎖空間が形成されるように構成し、さらに、
遮光性筒体の回転状態を検知する手段と、該遮光性筒体の回転が所定の回転から変動したことを検知した時に遮光性筒体を所定時間逆回転させる手段と、被覆体で覆われていない該遮光性筒体の外縁域に該遮光性筒体の外周面から起立するブレードの先端回転軌跡と所定間隔を隔てた異物除去部材と、を備えることを特徴とする
【００１２】
さらに、第３の発明に係る捕虫機は、外周面を有し軸の周りに回転する遮光性筒体と、該遮光性筒体の外周面から起立する少なくとも１個のブレードと、該遮光性筒体の両サイドに設けたフランジと、該遮光性筒体が回転する時の該ブレードの先端軌跡と所定間隔を隔てた湾曲面を有する被覆体と、該被覆体に設けた殺虫乃至虫不動化手段と、該遮光性筒体に設けた虫誘引光源と、遮光性筒体の回転状態を検知する手段と、該遮光性筒体の回転が所定の回転から変動したことを検知した時に遮光性筒体を所定時間逆回転させる手段と、被覆体で覆われていない該遮光性筒体の外縁域に該遮光性筒体の外周面から起立するブレードの先端回転軌跡と所定間隔を隔てた異物除去部材と、を含めて構成し、該遮光性筒体外周面と、該ブレードと、該フランジと、該被覆体の湾曲面とにより捕虫閉鎖空間が形成されるように構成することを特徴とする。
【００１３】
さらに、第４の発明に係る捕虫機は、第１の発明から第３のいずれかの発明に係る虫誘引光源を、前記遮光性筒体内部に設ける代わりに、前記虫誘引光透過領域上に設けることを特徴とする。
【００１４】
さらに、第５の発明に係る捕虫機は、第１の発明から第４のいずれかの発明に係る虫誘引光源の光は紫外線及び可視光線を含み、前記虫誘引光不透過領域は紫外線を遮断して可視光線を透過するように構成してあることを特徴とする。
【発明の効果】
【００１５】
上述した本発明の捕虫機では、虫は、遮光性筒体に設けられた虫誘引光透過領域を走光性によって目指していく光源として認識するので、虫が光源として認識し着地しようとする面積を光源単体の場合より実質的に広くできる。よって、広くした分だけ多くの虫が着地できるので、一度に多くの虫を捕獲する事が可能となる。光源は遮光性筒体内部に設けられ露出していないので、光源が虫の糞等で汚れることがない。
【００１６】
遮光性筒体に１個の虫誘引光透過領域を設けると、虫は、遮光性筒体の外周面全面を飛翔して目指していく光源として認識する。虫が光源として認識する面そのものが、虫が着地しようとする面となり、且つ捕虫閉鎖空間を形成する一部となる。この特徴によって、虫は光源そのものに向かって走行し着地する。そして、虫は、着地したその光源の上で捕虫される。光源と虫を捕獲する箇所が別々に設けられている従来の捕虫機では、着地した後に別の場所にある光源に向かって再走行してしまう場合があるが、本発明に係る捕虫機であればそのような再走行がないので捕虫の効率及び確実性をより高いものとすることができる。
【００１７】
遮光性筒体に１又は複数の虫誘引光透過領域（遮光性筒体の中から光が出てくる領域）を設け、この遮光性筒体を回転させると、ある場所にいる虫が光源と認識する領域と光源と認識しない領域が順次現れ、また遮光性筒体の内部に配置された光源が発する光の照射状況が変化（回転に伴う照射角度の変化による状況変化等）するので、虫の光の照射状況に対する馴れを防ぐことができ、虫の走光性を良く喚起できる。照射状況に対する虫の馴れを防ぐことは、効率よい捕虫のためにたいへん重要である。
【００１８】
遮光性筒体が回転していくと、捕獲されて殺虫乃至不動化した虫は遮光性筒体外周面より落下するので、遮光性筒体外周面が殺虫乃至不動化した虫にふさがれることが無い。一般的な捕虫器が多く採用している粘着テープの様に、虫を捕獲するにつれて捕虫粘着面が、捕獲した虫に徐々にふさがれて新たな虫を捕獲できる面積が減少し捕虫効率が低下する事がなく、また粘着テープの交換も不要なので、利用者の手間が掛からない。
【００１９】
本発明の捕虫機は、電動機の回転状態を検知する手段（たとえば、トルクセンサー）を備えているので、この電動機で回転駆動する遮光性筒体が所定の回転から変動（主として負荷の増加）した事を検知できる。遮光性筒体の回転が所定の回転から変動した事を検知した時に遮光性筒体を所定の範囲で逆回転させ、所定の回転の変動が解消された後に所定の回転に復帰させる構成としてあるので、捕虫機の故障や損傷を防ぐ。
【００２０】
遮光性筒体の所定の回転に変動を生じさせる所定の大きさを超える虫や異物を遮光性筒体外周面から乖離させる部材を、湾曲面を有する被覆体で覆われていない遮光性筒体の外縁域に備えている。この特徴と上述の逆回転する構成によって、遮光性筒体外周面に所定の大きさを超える虫や異物が着地する事によって生じる遮光性筒体の回転変動や停止を解消でき、捕虫機が機能を果たさない期間を短縮できる。利用者が、捕虫機の稼動状態を頻繁に確認する手間や、虫や異物を除去する作業も削減できる。
【図面の簡単な説明】
【００２１】
【図１】この発明の一実施形態を示す捕虫機の斜視図。
【図２】前記図１のカバーの内部及び遮光性筒体内部と側面部を説明する透視図。
【図３】虫を捕捉する閉鎖空間を説明する図１のＸ−Ｘ線断面図。
【図４】照射範囲の変化を説明する捕虫機の側面図。
【発明を実施するための形態】
【００２２】
本発明の実施形態を図１、図２、図３、図４に基づいて説明する。
【００２３】
（捕虫機の概略構造）
捕虫機１は、外周面１０ａを有し軸の周りに回転する遮光性筒体１０と、遮光性筒体１０の外周面１０ａから円周方向等間隔を隔てて起立する１２個（少なくとも１個あればよい）のブレード１４，・・と、遮光性筒体１０の両サイドに設けたフランジ１５，１５と、遮光性筒体１０が回転する時のブレード１４，・・の先端軌跡１９（図３参照）と所定間隔を隔てた湾曲面を有する被覆体１８と、被覆体１８に設けた殺虫乃至虫不動化手段２１と、遮光性筒体１０内部に配した虫誘引光源１３と、遮光性筒体１０に設けられた少なくとも1個の虫誘引光透過領域１１と、を含めて概略構成してある。その上で、遮光性筒体１０の外周面１０ａと、ブレード１４，・・と、フランジ１５，１５と、被覆体１８の湾曲面とにより捕虫閉鎖空間２７（図３参照）が形成されるように構成してある。
【００２４】
（遮光性筒体の構造）
遮光性筒体１０の形状は、多角形の遮光性筒体であってもその他の形であっても良いが回転させるものであることから本実施例では円筒形を選択した。遮光性筒体１０の中心には水平方向に延びる回転軸１０ｂが通り、遮光性筒体１０が回転軸１０ｂの周りで回転するようになっている。回転軸１０ｂは、遮光性筒体１０と一体で回転する軸であってもよいし、それ自体は回転せずに遮光性筒体１０のみが回転する軸であってもよい。遮光性筒体１０全体は光を透過しない遮光性のものであるが、その外周面１０ａには、虫を誘引するための光透過を許す虫誘引光透過領域１１を周方向等間隔で複数設けてある。遮光性筒体１０は、透明な合成樹脂の内壁に遮光材を塗布したものを基本とし、その上で遮光材を塗布しない領域（すなわち、虫誘引光透過領域１１）を形成したものである。なお、遮光筒体１０の外周面１０ａのうち、虫誘引光透過領域１１，・・以外の領域のことを、虫誘引光不透過領域１２，・・と呼ぶことがある。この場合、遮光性筒体１０の外周面１０ａは、虫誘引光透過領域１１，・・と虫誘引光不透過領域１２，・・とによって構成されることになる。なお、ここでは、遮光性を基本としているが、その逆に虫誘引光透過領域１１，・・を基本として遮光領域を遮光するように構成してもよい。
【００２５】
各虫誘引光透過領域１１の形状に限定はないが、本実地形態では、遮光性筒体１０の長さ方向ほぼ全長に延びる細長いスリット状に形成してある。遮光性筒体１０の全域を効率よく使用するためである。図示は省略するが、たとえば水玉模様風に円もしくは楕円をランダム配置するようにしてもよいし、虫誘引が可能であればどのような形状でもよい。
【００２６】
前掲したように遮光性筒体１０の外周面１０ａはスリット状の虫誘引光透過領域１１，・・とそれらに隣接する虫誘引光不透過領域１２とにより構成してあり、これら互い違いに存する二つの領域は、遮光性筒体１０の中心となる回転軸１０ｂとほぼ平行に配してある。遮光性筒体１０内には、虫誘引光を発する光源（虫誘引光源）１３を設けてある。
【００２７】
遮光性筒体１０の虫誘引光透過領域１１と虫誘引光不透過領域１２との境の遮光性筒体１０の外周面１０ａからは、前述したブレード１４，・・が起立する。各ブレード１４は、遮光性筒体１０の円の中心から放射状に伸びる直線に対して所定の回転方向に１５度から４５度までの間で傾斜させることが好ましく（図３参照）、本実施形態では約３０度傾斜させて設けてある。図３から明らかなように、傾斜させることによって被覆体１８の湾曲面２０との協働によって閉鎖空間２７内に虫を抱き込みやすくするためである。１５度から４５度までとしたのは、１５度未満ではブレード１４と外周面１０ａとの間が広すぎて一旦捕虫した虫が逃げやすい状態になるからであり、４５度を超えると外周面１０ａとの間が狭すぎて捕虫しづらい状態となるからである。
【００２８】
各ブレード１４は、起立方向に真っすぐでもよいが、図３に示すようにブレードの先端が遮光性筒体１０の所定の回転方向に向う湾曲（すなわち、虫を抱き込む方向の湾曲）があってもよい。遮光性筒体１０の両サイドに設けた両フランジ１５，１５は円形で、その円周は、ブレード１４の先端軌跡１９とほぼ一致する。閉鎖空間２７を両サイドから閉鎖するためである。図１に示す符号１６は側面板１６を示し、この側面板１６は、遮光性筒体１０の回転軸１０ａを両端で保持する様に背面板１７に取り付けてある。側面板１６と背面板１７は、捕虫機１の躯体の一部となる様に構成してある。被覆体１８は、背面板１７と遮光性筒体１０の上部の間隙をふさぐ様に構成してある。被覆体１８の湾曲面２０は、背面板１７の遮光性筒体１０側に配してある。
【００２９】
遮光性筒体１０は、たとえば外径１０ｃｍから２０ｃｍが、虫が着地しやすく汎用性に富むが、誘引捕獲しようとする虫の大きさや種類や、捕虫機を設置する状況等に合わせて任意のサイズの外径や筒長にできる。遮光性筒体１０の所定の回転は、図１において手前から上方へ（図３において反時計回り方向）、そして背面板１７に向かって回転するよう構成してある。
【００３０】
遮光性筒体１０の回転は、遅ければ虫が逃避しやすく、早い場合は虫が着地しにくいので、遮光性筒体１０の外周面１０ａの動く速度は毎分６ｃｍから１３ｃｍが虫は着地しやすく効果的なので、この範囲に設定してある。遮光性筒体の外形の大きさや、虫の駆除を目的とする空間の広さや虫の種類等により、遮光性筒体を回転させる適切な時間は変わるので、前記速度に限定するものではない。遮光性筒体の所定の回転は、間断のない連続的な回転であっても、間欠的な回転としても良い。さらに、速度変化や光度変化を伴うものであってもよい。
【００３１】
遮光性筒体１０の虫誘引光不透過領域１２は、光源１３の紫外線は遮光し人の可視光線を透過する様に構成してある。虫誘引光透過領域は虫誘引光も可視光線も透過する。こうすることにより、透過不透過に関わりなく遮光性筒体から可視光線が出ており、虫誘引光透過領域から出る紫外線は人が見ることはできない。このため、虫誘引光透過領域と虫誘引光不透過領域の間に人にとって可視光的な違いはない。違いがあれば与えるであろう光の変化によるストレスを、遮光性筒体１０は人に感じさせない。この点、光源を、たとえば、シャッターにより開閉して可視光線さえも遮ってしまうように構成すると、人は点滅光を見させられることになるので、強いストレスの原因なってしまう。可視光線を遮断せずに紫外線だけを遮断することは、本件発明の重要な特徴である。
【００３２】
遮光性筒体１０には、たとえば紫外線を透過するメタクリル樹脂（アクリライト＃０００：三菱レイヨン（株）社製）を用い、虫誘引光不透過領域１２に紫外線カットフイルムを貼りこむ事で、虫誘引光透過領域１１と虫誘引光不透過領域１２を構成できる。しかしながら、この手法や材料に限定されるものではなく、紫外線を透過する樹脂と紫外線を透過しない樹脂を組み合わせて遮光性筒体１０を構成してもよく、虫誘引光不透過領域１２に紫外線に限らず広範囲な波長の光を透過しにくい部材を用いてもよい。
【００３３】
（虫誘引光源の構造）
虫誘引光源１３は、多くの種類の虫を誘引する波長４００ｎｍ以下の人の可視範囲外の紫外線を多く放射する光源が望ましく、波長３６５ｎｍをピークとして紫外線を放射する誘虫蛍光灯などは汎用性が高く、本実施形態ではＵ字型の誘虫蛍光灯を採用している。近年、害虫の一種であるオオタバコガが、４２０ｎｍ,４７０ｎｍ,５６０ｎｍおよび５９０ｎｍ付近の光によく反応する事が発表されている事から、４００ｎｍ以下の紫外線を多く放射する光源に限定せず、誘引捕獲しようとする虫が好む波長を発する光源であれば、どの様な光源を採用しても良い。有機エレクトロルミネッセンス等による発光素子を虫誘引光透過領域１１とする箇所に配置し、遮光性筒体１０内に光源を配置しない方法としても良い。この場合は、発光素子の表面が遮光性筒体１０の表面となり、発光素子の表面を透過して発光素子の光が遮光性筒体１０の外へ出ることになる。
【００３４】
湾曲面２０には、虫を殺虫乃至不動化する手段として遠赤外線照射部材２１を設けてある（図２、３参照）。遮光性筒体１０の片側には光源１３の交換用蓋２２を設け、遮光性筒体１０のもう一方の側には遮光性筒体１０を回転駆動する電動機２３を設けてある。遮光性筒体１０の下部には棚２４を設け、殺虫乃至不動化した虫を収める取り外し可能な収容箱２５を設置してある。虫の死骸を収める収容箱２５や本捕虫機の下部構造が外部から視認される事を防ぐ、開閉可能なカバー２６を設けてある。虫を殺虫乃至不動化する手段には、遠赤外線を多く放射する面状の遠赤外線放射部材やセラミックやカーボンを用いたヒーターなども利用でき、超音波を発する部材や殺虫成分を放出する部材等であってもよく、虫を殺虫乃至不動化できるいずれの手段も採用できる。
【００３５】
（本実施形態の作用効果）
図１のＸ―Ｘ断面を示す図３にて説明する。光源１３が発する光を感知した虫は、遮光性筒体１０の虫誘引光透過領域１１を目指して、虫誘引光透過領域１１を透過した光の照射範囲を飛翔していき、ついには虫誘引光透過領域１１に着地する。遮光性筒体１０が所定の方向（図３の反時計回り方向）に回転していくに従い、遮光性筒体１０の外周面を床面として、ブレード１４とフランジ１５とが四方を囲う壁面となって形成されている開放空間は、徐々に湾曲面２０によって覆われていき閉鎖空間２７，・・となる様に構成してある。虫誘引光透過領域１１に着地した虫は、閉鎖空間２７，・・に捕らえられ逃避できなくなり、閉鎖空間２７，・・となっている間に湾曲面２０に設けられた遠赤外線照射部材２１により遠赤外線を照射され、殺虫乃至不動化される。フランジ１５に代えて側面板１６によって閉鎖空間２７を形成するように構成する場合には、フランジ１５を省いてもよい。この場合は、遮光性筒体１０の外周面を床面として、ブレード１４と側面板１６とが四方を囲う壁面となって形成されている空間が、湾曲面２０で覆われて閉鎖空間２７が形成される。閉鎖空間２７は、遮光性筒体１０の回転に伴いその外周面１０ａが湾曲面２０の覆いから開放されることによって開放空間に戻る。
【００３６】
遮光性筒体を駆動する電動機２３には、制御回路によりパルス電力に同期して回転制御できる同期電動機を選択してある。電動機２３には、軸位置センサー２８を備えてある。
【００３７】
制御回路は、軸位置センサー２８が発する電動機２３の軸位置のずれを告知する信号を受信すると、電動機２３を所定の回転とは逆に回転させるプログラムが起動するよう構成してあり、電動機２３が逆回転すると遮光性筒体１０の回転も所定の回転と逆に回転する。電動機２３の逆回転は、遮光性筒体１０の所定の回転とは逆に回転する範囲が、遮光性筒体１０の被覆体１８で覆われていない側の被覆体１８の上端から下端に至るまでの範囲内になる様に設定してある。
【００３８】
電動機２３が所定の回転と逆に回転していることを利用者に示すモニターランプや警告音発生装置や光源１３の消灯等の告知手段を施すと、利用者に対する便益性は高い。いずれの告知手段は必須ではなく省いても良い。
【００３９】
この同期電動機２３の軸位置のずれを検知するセンサーに代えて、遮光性筒体１０の回転の変動を検知でき、制御回路に信号を発信できるセンサー（たとえば、トルクセンサー）を採用してもよい。遮光性筒体１０を回転させる手段は、正回転及び逆回転が制御可能な電動機であれば同期電動機に限らない。
【００４０】
遮光性筒体１０が所定の回転と逆に回転する時に、遮光性筒体１０の外周面に着地した所定の大きさを超える虫や異物を遮光性筒体１０から乖離させる異物除去部材２９を、ブレード１４の先端軌跡１９と所定間隔を隔て被覆体１８で覆われていない遮光性筒体１０の外縁域に、遮光性筒体１０の回転軸と平行に設けてある。異物除去部材２９には、線状や棒状や板状や刷毛状の部材を採用できるが、本実施形態では抗菌ゴムを塗布した金属棒を選択してある。異物除去部材２９の部材には前記部材に限らず、所定の大きさを超える虫や異物を遮光性筒体１０から乖離させることが可能な部材であればいずれの素材も採用できる。
【００４１】
遮光性筒体１０が逆回転する時に、異物除去部材２９を振動させたり、遮光性筒体１０の回転と逆に回転させたりするとより効果的である。
【００４２】
殺虫乃至不動化した虫が、遮光性筒体１０から虫収容箱２５に向けて落下していく様に導く誘導斜面３０を備える。
【００４３】
本発明による、捕虫機１の捕虫機能の低減や故障を招く遮光性筒体１０の回転変動や停止を解消する事を説明する。電動機２３の回転の変動の多くは、所定の寸法以上の虫や異物が遮光性筒体１０の外周面１０ａに着地してその後の回転により湾曲面２０とブレード１４上端の間隙に挟まり、遮光性筒体１０の回転が阻害される事によって生じる。遮光性筒体１０の回転が阻害されると、遮光性筒体１０の所定の回転が変動し電動機２３の軸位置にもずれが生じる。電動機２３に備えた軸位置センサー２８はこの軸位置のずれを検知し、軸位置のずれを告知する信号を制御回路に発信する。制御回路は、この信号を受けると電動機２３を逆回転させるプログラムを起動する。
【００４４】
遮光性筒体１０が逆回転する時、遮光性筒体１０の逆回転する進行方向（図３の時計回り方向）に対してブレード１４は後傾しているので、遮光性筒体１０が逆回転していくと、異物除去部材２９は所定の寸法以上の虫や異物のブレード１４の高さを超える箇所に接触してブレード１４の上部へ押し上げ、遮光性筒体１０から乖離させる。電動機２３は、プログラムで定めた範囲を逆回転した後に所定の回転に復帰し、遮光性筒体１０も所定の回転に戻る。
【００４５】
一度の逆回転動作で虫や異物が遮光性筒体１０から乖離せず、再び電動機２３の軸位置にずれが生じる場合は、前記の軸位置のずれを告知する信号の発信から遮光性筒体１０が所定の回転に復帰するまでの動作（異物除去プログラム）が、回転のずれが解消されるまで繰り返される。異物除去プログラムを所定の回数繰り返しても回転のずれが解消されない場合は、本捕虫機への電源供給が停止する様に制御回路を構成してある。
【００４６】
図４は、虫誘引光透過領域１１を複数設けた本発明の捕虫機１を、室内の壁面に設置した時の側面図である。照射範囲３１は、光源１３が発する虫誘引光が遮光性筒体１０の虫誘引光透過領域１１を透過して遮光性筒体１０の外部へ照射される範囲を示す。遮光範囲３２は、虫誘引光不透過領域１２により虫誘引光の照射が遮られている範囲を示す。照射範囲３１および遮光範囲３２は、虫誘引光としての紫外線の照射および遮光を示すものであって、虫誘引光不透過領域１２を可視光線を透過するように構成した場合は、両者間に可視的差異は生じない。
【００４７】
虫誘引光透過領域１１を透過した虫誘引光の照射範囲３１ａは、遮光性筒体１０が回転していくと上方向へと移行していき、天井３３に向けて照射される範囲３１ｂへと移行する。さらに遮光性筒体１０が回転していくと、照射範囲３１ｂは、壁面３４に向けて照射される範囲３１ｃへと移行する。虫が飛翔する虫誘引光の照射範囲は徐々に狭まるので、虫は効率よく光源を目指して飛翔でき、ついには虫誘引光透過領域１１に着地して、閉鎖空間２７に捕らわれる。遮光性筒体１０が回転することにより、この一連の動作は連続して繰り返される。
【符号の説明】
【００４８】
１０        遮光性筒体
１０ａ      外周面
１０ｂ      回転軸
１１        虫誘引光透過領域
１２        虫誘引光不透過領域
１３        光源
１４        ブレード
１５        フランジ
１６        側面板
１７        背面板
１８        被覆体
１９        先端軌跡
２０        湾曲面
２１        遠赤外線照射部材
２２        交換用蓋
２３        電動機
２４        棚
２５        収容箱
２６        カバー
２７        閉鎖空間
２８        軸位置センサー
２９        異物除去部材
３０        誘導斜面
３１        照射範囲
３２        遮光範囲
３３        天井
３４        壁面
【図１】
0005568546.tif 000002
【図２】
0005568546.tif 000003
【図３】
0005568546.tif 000004
【図４】
0005568546.tif 000005